(57)【要約】【課題】被乾燥物を効率よく乾燥させつつ、当該被乾燥物の周辺に放出された水分も効果的に除去することができる除湿機を実現する。【解決手段】本発明に係る除湿機は、表面温度検出手段によって検出された表面温度に基づいて乾燥対象範囲を判定する判定手段と、乾燥対象範囲を含む初期乾燥対象範囲Ａ１と初期乾燥対象範囲Ａ１を含まない初期乾燥非対象範囲Ａ２とを設定する設定手段と、乾燥対象範囲に送風させる第１制御と初期乾燥非対象範囲Ａ２に送風させる第２制御とを送風手段に対して行う制御手段と、を備えるものである。【選択図】図８
2019007693.tif 000002
【特許請求の範囲】
【請求項１】
空気中に含まれる水分を除去する除湿手段と、
前記除湿手段によって水分が除去された空気を送る送風手段と、
走査範囲における表面温度を検出する表面温度検出手段と、
前記表面温度検出手段によって検出された表面温度に基づいて、前記走査範囲のうち表面温度が判定温度より低い範囲を乾燥対象範囲として判定する判定手段と、
少なくとも前記乾燥対象範囲を含む第１範囲と前記走査範囲のうち当該第１範囲を含まない第２範囲とを設定する設定手段と、
前記乾燥対象範囲に送風させる第１制御と前記第２範囲に送風させる第２制御とを前記送風手段に対して行う制御手段と、
を備える除湿機。
【請求項２】
前記制御手段は、前記第１制御を開始した後、前記走査範囲の表面温度が前記判定温度より高くなると当該第１制御を終了して前記第２制御を開始する請求項１に記載の除湿機。
【請求項３】
前記制御手段は、前記第１制御と前記第２制御とを交互に行う請求項１に記載の除湿機。
【請求項４】
前記制御手段は、前記第２制御を開始してから一定時間経過後、当該第２制御を終了して前記送風手段に送風を停止させる請求項２に記載の除湿機。
【請求項５】
前記制御手段は、前記第２制御を開始してから設定時間経過後、当該第２制御を終了して前記送風手段に送風を停止させ、
前記設定時間は、前記第１制御が開始してから前記第１範囲の表面温度が前記判定温度より高くなるまでの時間が長いほど長い請求項２に記載の除湿機。
【発明の詳細な説明】
【技術分野】
【０００１】
本発明は、除湿機に関するものである。
【背景技術】
【０００２】
特許文献１に除湿機が記載されている。この除湿機は、洗濯物などの被乾燥物の温度を検出するための赤外線検出手段を備える。特許文献１に記載された除湿機は、赤外線検出手段の検出結果に基づいて、被乾燥物が配置されている範囲に対して送風するように制御される。特許文献１に記載された除湿機は、上記のようにして、被乾燥物を効率よく乾燥させる。
【先行技術文献】
【特許文献】
【０００３】
【特許文献１】特開２００７−２４０１００号公報
【発明の概要】
【発明が解決しようとする課題】
【０００４】
被乾燥物に空気が当てられると、当該被乾燥物から水分が放出される。被乾燥物から放出された水分は、例えば、当該被乾燥物の周辺の壁紙に吸着する場合がある。壁紙に吸着した水分は、当該壁紙の劣化およびカビの発生などの要因になりえる。また、例えば、被乾燥物の周辺に窓がある場合、当該被乾燥物から放出された水分は、当該窓の表面に結露を発生させる要因にもなりえる。特許文献１に記載された除湿機においては、被乾燥物から放出された水分を要因とした上記のような問題が考慮されていない。
【０００５】
本発明は、上記のような課題を解決するためになされたものである。本発明の目的は、被乾燥物を効率よく乾燥させつつ、当該被乾燥物の周辺に放出された水分も効果的に除去することができる除湿機を実現することである。
【課題を解決するための手段】
【０００６】
本発明に係る除湿機は、空気中に含まれる水分を除去する除湿手段と、除湿手段によって水分が除去された空気を送る送風手段と、走査範囲における表面温度を検出する表面温度検出手段と、表面温度検出手段によって検出された表面温度に基づいて、走査範囲のうち表面温度が判定温度より低い範囲を乾燥対象範囲として判定する判定手段と、少なくとも乾燥対象範囲を含む第１範囲と走査範囲のうち第１範囲を含まない第２範囲とを設定する設定手段と、乾燥対象範囲に送風させる第１制御と第２範囲に送風させる第２制御とを送風手段に対して行う制御手段と、を備える。
【発明の効果】
【０００７】
本発明に係る除湿機は、少なくとも乾燥対象範囲を含む第１範囲と走査範囲のうち第１範囲を含まない第２範囲とを設定する設定手段と、乾燥対象範囲に送風させる第１制御と第２範囲に送風させる第２制御とを送風手段に対して行う制御手段と、を備える。このため、本発明に係る除湿機は、被乾燥物を効率よく乾燥させつつ、当該被乾燥物の周辺に放出された水分も効果的に除去することができる。
【図面の簡単な説明】
【０００８】
【図１】実施の形態１の除湿機の外観を示す斜視図である。
【図２】実施の形態１の除湿機の内部の構造を示す概略図である。
【図３】実施の形態１の風向変更部を拡大して示す概略斜視図である。
【図４】実施の形態１の制御装置の機能を示すブロック図である。
【図５】実施の形態１の制御装置の構成の一例を示す図である。
【図６】実施の形態１の表面温度検出装置の走査範囲を示す図である。
【図７】実施の形態１の初期乾燥対象範囲と初期乾燥非対象範囲とを示す図である。
【図８】実施の形態１の初期乾燥対象範囲と初期乾燥非対象範囲とを示す図である。
【図９】実施の形態１の第１制御が行われた際の送風経路の例を示す図である。
【図１０】実施の形態１の第２制御が行われた際の送風経路の例を示す図である。
【図１１】実施の形態１の除湿機の動作を示すフローチャートである。
【図１２】実施の形態１の除湿機の動作の第１変形例を示すフローチャートである。
【図１３】実施の形態１の除湿機の動作の第２変形例を示すフローチャートである。
【図１４】実施の形態１の除湿機の動作の第３変形例を示すフローチャートである。
【発明を実施するための形態】
【０００９】
以下、添付の図面を参照して、実施の形態について説明する。各図における同一部分または相当部分には、同一の符号を付して、重複する説明を簡略化または省略する。
【００１０】
実施の形態１．
図１は、実施の形態１の除湿機１００の外観を示す斜視図である。図２は、実施の形態１の除湿機１００の内部の構造を示す概略図である。一例として、除湿機１００は、室内で使用される。以下の説明では、この室内の空気を、室内空気Ｐと称する。
【００１１】
除湿機１００は、筐体１を備える。筐体１は、除湿機１００の外殻となる部材である。筐体１は、自立可能に形成される。筐体１には、吸込口２および吹出口３が形成される。吸込口２は、筐体１の内部に空気を取り込むための開口である。吹出口３は、筐体１の内部から外部に向かって空気を吹き出すための開口である。吸込口２は、例えば、筐体１の背面に形成される。吹出口３は、例えば、筐体１の上部の前側部分に形成される。
【００１２】
除湿機１００は、空気を吹出口３を介して送る送風機の一例として、ファン４およびファンモーター４ａを備える。ファン４およびファンモーター４ａは、筐体１の内部に設けられる。ファン４は、回転することで、吸込口２から吹出口３へ向かう気流を発生させる。ファン４には、ファンモーター４ａが接続される。ファンモーター４ａは、ファン４を回転させる機器である。
【００１３】
図２に示すように、筐体１の内部には、風路５が形成される。風路５は、吸込口２から吹出口３へ至る空間である。ファン４は、風路５内に配置される。ファン４は、吸込口２から吹出口３へ向かう気流を、風路５内に発生させる。ファン４によって気流が発生すると、図２に示すように、室内空気Ｐが吸込口２から風路５内へ吸い込まれる。
【００１４】
また、除湿機１００は、空気中の水分を除去する除湿手段の一例として、除湿部６を備える。除湿部６は、空気中の水分を凝縮し、凝縮した水分を排出するものである。除湿部６は、空気中の水分の除去、すなわち除湿を行う。
【００１５】
除湿部６は、風路５内に配置される。除湿部６は、例えば、吸込口２とファン４との間に配置される。除湿部６は、風路５内に吸い込まれた室内空気Ｐを除湿する。室内空気Ｐは、除湿部６によって除湿されることで、乾燥空気Ｑになる。乾燥空気Ｑは、風路５内を流れ、吹出口３から吹き出される。除湿機１００は、このようにして室内の除湿を行う。
【００１６】
除湿部６は、例えば、ヒートポンプ回路を利用した装置である。ヒートポンプ回路を利用した除湿部６は、蒸発器によって空気中の水分を凝縮させる。また、除湿部６は、例えば、デシカント方式の装置であってもよい。デシカント方式の除湿部６は、空気中の水分を吸着する吸着剤および熱交換器を有する。デシカント方式の装置は、吸着剤に吸着した水分を、熱交換器によって凝縮する。
【００１７】
除湿部６は、室内空気Ｐから除去した水分を、凝縮水Ｃとして排出する。除湿部６は、一例として、凝縮水Ｃを下方へ排出する。筐体１の内部には、除湿部６によって排出された凝縮水Ｃを貯める貯水タンク７が設けられる。貯水タンク７は、除湿部６の下方に配置される。
【００１８】
また、除湿機１００は、風向変更部８を備える。風向変更部８は、吹出口３から乾燥空気Ｑが送られる方向を決めるためのものである。吹出口３から乾燥空気Ｑが送られる方向を、以下では、送風方向と呼称する。送風方向は、風向変更部８の状態によって決まる。送風方向は、風向変更部８が動くことによって変更される。図１に示すように、風向変更部８は、吹出口３の近傍に配置される。
【００１９】
本実施の形態におけるファン４、ファンモーター４ａおよび風向変更部８は、除湿部６によって水分が除去された乾燥空気Ｑを送る送風手段の一例である。ファン４、ファンモーター４ａおよび風向変更部８は、乾燥空気Ｑを一定の範囲に対して送ることが可能に形成される。なお、ファン４、ファンモーター４ａおよび風向変更部８が送風空気を送ることができる一定の範囲を、以下、送風可能範囲とも称する。
【００２０】
図３は、実施の形態１の風向変更部８を拡大して示す概略斜視図である。風向変更部８は、縦方向ルーバー９および横方向ルーバー１０を有する。縦方向ルーバー９は、送風方向を上下方向に変更するための部材である、横方向ルーバー１０は、送風方向を左右方向に変更するための部材である。
【００２１】
縦方向ルーバー９は、吹出口３の形状に合わせて形成される。一例として、吹出口３および縦方向ルーバー９は、左右方向に伸びる長方形状に形成される。縦方向ルーバー９は、枠状の部材である。縦方向ルーバー９には、左右方向に延びる長方形状の開口が形成される。縦方向ルーバー９は、この開口の向きが上下に変更されるように回転可能に形成される。送風方向は、縦方向ルーバー９が回転することで、上下方向に変更される。
【００２２】
横方向ルーバー１０は、上下方向に沿う複数の板状の部材によって形成される。横方向ルーバー１０を形成する複数の板状の部材は、一例として、左右方向になど間隔に並ぶ。横方向ルーバー１０は、枠状の縦方向ルーバー９の内側に配置される。横方向ルーバー１０の後端は、縦方向ルーバー９に上下方向から軸支される。横方向ルーバー１０は、軸支された後端を支点として回転可能である。送風方向は、横方向ルーバー１０が回転することで、左右方向に変更される。
【００２３】
風向変更部８は、図２および図３に示すように、縦方向駆動部９ａおよび横方向駆動部１０ａを有する。縦方向駆動部９ａは、縦方向ルーバー９を回転させるためのものである。横方向駆動部１０ａは、横方向ルーバー１０を回転させるためのものである。
【００２４】
縦方向駆動部９ａおよび横方向駆動部１０ａは、一例としてモーターを有する。縦方向駆動部９ａは、縦方向ルーバー９に機械的に接続される。縦方向ルーバー９は、縦方向駆動部９ａのモーターの駆動に連動して回転する。また、横方向駆動部１０ａは、横方向ルーバー１０に機械的に接続される。横方向ルーバー１０は、横方向駆動部１０ａのモーターの駆動に連動して回転する。
【００２５】
また、本実施の形態の除湿機１００は、表面温度検出装置１１を備える。表面温度検出装置１１は、ある範囲における物体の表面温度Ｔｄを検出する装置である。本実施の形態において、表面温度検出装置１１は、洗濯物などの被乾燥物の位置を判定するために用いられる。
【００２６】
表面温度検出装置１１は、例えば、赤外線吸収膜１１ａおよびサーミスタ１１ｂを有する。赤外線吸収膜１１ａは、対象物から発せられた赤外線を吸収する。赤外線吸収膜１１ａの感熱部分は、赤外線を吸収することによって昇温する。赤外線によって昇温した赤外線吸収膜１１ａの感熱部分は、温接点となる。サーミスタ１１ｂは、赤外線吸収膜１１ａの感熱部分ではない部分の温度を検出する。サーミスタ１１ｂによって温度が検出されるこの部分は、冷接点となる。
【００２７】
表面温度検出装置１１は、上記の温接点と冷接点との温度差から、赤外線吸収膜１１ａに吸収された赤外線を発した領域の表面温度を検出する。本実施の形態の表面温度検出装置１１は、表面温度検出手段の一例である。表面温度検出装置１１は、検出した表面温度を電圧などの電気信号に変換する。表面温度検出装置１１は、この電気信号を、後述する制御装置２０に対して出力する。本実施の形態において、制御装置２０は、表面温度検出装置１１から当該制御装置２０へ入力された電気信号に基づいて、赤外線吸収膜１１ａに吸収された赤外線を発した領域の表面温度を判定する機能を有する。
【００２８】
表面温度検出装置１１は、正面が送風方向を向くように設けられる。表面温度検出装置１１は、吹出口３から吹き出された乾燥空気Ｑが当たっている領域からの赤外線を受けるように配置される。これにより、表面温度検出装置１１は、乾燥空気Ｑが当たっている領域の表面を検出する。表面温度検出装置１１は、例えば、図３に示すように、縦方向ルーバー９の左右方向の中央の位置に配置される。表面温度検出装置１１は、例えば、横方向ルーバー１０に取り付けられる。横方向ルーバー１０に取り付けられた表面温度検出装置１１は、当該横方向ルーバー１０とともに動く。また、上述したように、横方向ルーバー１０は、縦方向ルーバー９に軸支されている。縦方向ルーバー９に軸支された横方向ルーバー１０は、当該縦方向ルーバー９とともに動く。すなわち、横方向ルーバー１０に取り付けられた表面温度検出装置１１は、縦方向ルーバー９が動くと当該縦方向ルーバー９とともに動く。
【００２９】
このようにして、表面温度検出装置１１は、縦方向ルーバー９および横方向ルーバー１０が動いて送風方向が変更された場合においても、変更された後の送風方向を向く。表面温度検出装置１１は、送風方向が変更されても、吹出口３から吹き出された乾燥空気Ｑが当たっている領域からの赤外線を受ける。表面温度検出装置１１は、縦方向ルーバー９および横方向ルーバー１０とともに動くことで、送風可能範囲における表面温度を検出することができる。
【００３０】
なお、表面温度検出手段の一例である表面温度検出装置１１の構成は、上記の例に限られない。表面温度検出装置１１は、ある範囲における物体の表面温度Ｔｄを検出する装置であればよく、横方向ルーバー１０に取り付けられていなくてもよい。表面温度検出装置１１は、風向変更部８から独立して動くことが可能であってもよい。風向変更部８から独立して動くことが可能な表面温度検出装置１１の向きは、送風方向と一致していなくてもよい。除湿機１００は、表面温度検出装置１１を風向変更部８から独立して動かすためのモーター等を備えていてもよい。
【００３１】
除湿機１００は、温度センサー１２および湿度センサー１３を備える。温度センサー１２および湿度センサー１３は、風路５内に配置される。温度センサー１２および湿度センサー１３は、例えば、吸込口２と除湿部６との間に配置される。温度センサー１２は、吸込口２から吸い込まれた室内空気Ｐの温度を検出する温度検出手段の一例である。湿度センサー１３は、吸込口２から吸い込まれた室内空気Ｐの湿度を検出する湿度検出手段の一例である。温度センサー１２および湿度センサー１３は、検出結果を電気信号として出力する。なお、以下では、室内空気Ｐの温度を、室温Ｔｓとも称する。すなわち、温度センサー１２は、この室温Ｔｓを検出する。
【００３２】
また、除湿機１００は、図１および図２に示すように、操作表示部１４を備える。操作表示部１４は、除湿機１００を操作するためのものである。また、操作表示部１４は、除湿機１００の状態を表示するためのものでもある。操作表示部１４は、操作部１４ａおよび表示部１４ｂを有する。
【００３３】
操作部１４ａは、使用者によって操作されるスイッチおよびボタンなどによって構成される。一例として、操作部１４ａには、送風方向を決めるための操作スイッチおよび除湿機１００の運転を開始および停止させるための運転スイッチなどが含まれる。この運転スイッチは、除湿機１００の動作を開始させる開始手段の一例である。また、表示部１４ｂは、例えば、液晶などによって形成される。表示部１４ｂは、除湿機１００の状態を使用者に対して表示する。
【００３４】
除湿機１００は、当該除湿機１００の動作を制御するための制御装置２０を備える。制御装置２０は、除湿機１００に備えられた各機器に電気的に接続される。
【００３５】
本実施の形態において、制御装置２０は、図２に示すように、ファンモーター４ａ、除湿部６、縦方向駆動部９ａ、横方向駆動部１０ａおよび操作表示部１４に電気的に接続される。制御装置２０は、ファンモーター４ａ、除湿部６、縦方向駆動部９ａ、横方向駆動部１０ａおよび操作表示部１４の表示部１４ｂを電気的に制御する。
【００３６】
また、制御装置２０は、表面温度検出装置１１、温度センサー１２および湿度センサー１３に電気的に接続される。制御装置２０には、表面温度検出装置１１、温度センサー１２および湿度センサー１３から電気信号が入力される。また、操作表示部１４は、使用者による操作部１４ａの操作に応じた信号を、制御装置２０に対して出力する。制御装置２０は、これらの電気信号に応じて動作する。
【００３７】
図４は、実施の形態１の制御装置２０の機能を示すブロック図である。本実施の形態の制御装置２０は、図４に示すように、制御部２０ａ、判定部２０ｂ、設定部２０ｃおよび記憶部２０ｄを有する。
【００３８】
制御部２０ａは、送風手段を制御する制御手段の一例である。本実施の形態において、制御部２０ａは、ファンモーター４ａ、縦方向駆動部９ａおよび横方向駆動部１０ａを制御する。判定部２０ｂは、除湿機１００の動作を制御するための各種の判定を行う。判定部２０ｂは、表面温度検出手段によって検出された表面温度に基づいて当該表面温度検出手段によって表面温度が検出された範囲についての判定を行う判定手段の一例である。
【００３９】
設定部２０ｃは、除湿機１００の動作を制御するための各種の設定を行う設定手段の一例である。また、記憶部２０ｄは、除湿機１００の動作を制御するための各種の情報を記憶する記憶手段の一例である。例えば、記憶部２０ｄには、予め各種の情報が記憶される。記憶部２０ｄには、除湿機１００の動作を制御するためのアルゴリズム等が記憶されていてもよい。また、本実施の形態において、記憶部２０ｄは、判定部２０ｂの判定結果に関する情報および設定部２０ｃによって設定された情報を記憶する機能を有している。
【００４０】
制御装置２０の各機能は、制御回路２１により実現される。制御装置２０の各機能には、制御部２０ａ、判定部２０ｂ、設定部２０ｃおよび記憶部２０ｄの機能が含まれる。制御回路２１は、処理回路とも称されるものである。図５は、実施の形態１の制御装置２０の各機能を実現する制御回路２１の構成の一例を示す図である。制御回路２１は、図５に示すように、例えば、入力回路２１ａ、出力回路２１ｂ、ＣＰＵ２１ｃ、メモリ２１ｄおよびタイマー部２１ｅを有する。
【００４１】
ＣＰＵ２１ｃには、例えば、プロセッサ、中央処理装置、処理装置、演算装置、マイクロプロセッサ、マイクロコンピュータあるいはＤＳＰなどが該当する。また、メモリ２１ｄには、例えば、ＲＡＭ、ＲＯＭ、フラッシュメモリー、ＥＰＲＯＭ、ＥＥＰＲＯＭなどの不揮発性または揮発性の半導体メモリ、磁気ディスク、フレキシブルディスク、光ディスク、コンパクトディスク、ミニディスクおよびＤＶＤなどが該当する。メモリ２１ｄは、例えば、本実施の形態の制御装置２０の記憶部２０ｄの機能を実現する。
【００４２】
タイマー部２１ｅは、経過時間を計測する機能を実現するためのものである。本実施の形態において、タイマー部２１ｅは、除湿機１００が運転を開始してからの経過時間を計測する機能を実現する。タイマー部２１ｅは、図５に示すように、ＣＰＵ２１ｃに組み込まれていてもよい。タイマー部２１ｅは、ＣＰＵ２１ｃと別体であってもよい。
【００４３】
制御回路２１は、ソフトウェア、ファームウェア、またはソフトウェアとファームウェアとの組み合わせにより、制御装置２０の各機能を実現する。ソフトウェアおよびファームウェアはプログラムとして記述され、メモリ２１ｄに格納される。ＣＰＵ２１ｃは、メモリ２１ｄに格納されたプログラムに基づき、除湿機１００の動作を制御する。
【００４４】
ＣＰＵ２１ｃには、入力回路２１ａを介して、除湿機１００を構成する各種のセンサーおよびスイッチなどから電気信号が入力される。ＣＰＵ２１ｃは、入力回路２１ａを介して当該ＣＰＵ２１ｃに入力された電気信号に基づいて動作する。本実施の形態において、入力回路２１ａには、表面温度検出装置１１、操作部１４ａ、温度センサー１２および湿度センサー１３が電気的に接続されている。
【００４５】
また、ＣＰＵ２１ｃは、除湿機１００の動作を制御するための電気信号を、出力回路２１ｂを介して、当該除湿機１００に備えられた各機器へ出力する。本実施の形態において、出力回路２１ｂには、表示部１４ｂ、除湿部６、縦方向駆動部９ａ、横方向駆動部１０ａおよびファンモーター４ａが電気的に接続されている。
【００４６】
なお、制御回路２１は、専用のハードウェアであってもよい。制御回路２１の一部が専用のハードウェアとして形成されてもよい。すなわち、制御装置２０の各機能は、専用のハードウェアによって実現してもよい。少なくとも一部が専用のハードウェアである制御回路２１には、例えば、単一回路、複合回路、プログラム化したプロセッサ、並列プログラム化したプロセッサ、ＡＳＩＣ、ＦＰＧＡ、またはこれらを組み合わせたものが該当する。また、制御装置２０の各機能は、単一の制御回路２１ではなく、複数のハードウェアまたは回路などによって実現されてもよい。
【００４７】
図６は、実施の形態１の表面温度検出装置１１の走査範囲２００を示す図である。走査範囲２００とは、表面温度検出装置１１が表面温度Ｔｄの検出を行う範囲である。本実施の形態では、一例として、走査範囲２００は、送風可能範囲と一致する。なお、走査範囲２００と送風可能範囲とは、必ずしも一致していなくてよい。例えば、走査範囲２００は、送風可能範囲に含まれていてもよい。送風可能範囲は、走査範囲２００に含まれていてもよい。送風可能範囲と走査可能範囲とは、少なくとも一部が重なり合っていればよい。一例として、走査範囲２００は、図６に示すように、複数のブロック２０１に区切られる。表面温度検出装置１１は、各ブロック２０１の表面温度Ｔｄを検出する。
【００４８】
本実施の形態において、記憶部２０ｄには、表面温度検出装置１１から出力された電気信号に対応する表面温度Ｔｄの情報が、テーブルとして予め記憶される。判定部２０ｂは、記憶部２０ｄに記憶されたこのテーブルと表面温度検出装置１１から出力された電気信号とに基づき、各ブロック２０１の表面温度Ｔｄを判定する。
【００４９】
また、判定部２０ｂは、表面温度検出装置１１から出力された電気信号と温度センサー１２から出力された電気信号とに基づいて、各ブロック２０１の状態を判定する。記憶部２０ｄには、例えば、基準温度差ΔＴｒの情報が、予め記憶される。基準温度差ΔＴｒは、ブロック２０１の状態を判定するための値である。
【００５０】
洗濯物などの濡れている被乾燥物の表面温度Ｔｄは、室温Ｔｓより低い。濡れている被乾燥物の表面温度Ｔｄと室温Ｔｓとの間には、一定以上の温度差ΔＴがある。温度差ΔＴは、室温Ｔｓから表面温度Ｔｄを減じた値である。
【００５１】
温度センサー１２が検出した室温Ｔｓと表面温度検出装置１１が検出した表面温度Ｔｄとに基づいて、各ブロック２０１における温度差ΔＴとの比較が行われる。本実施の形態の判定部２０ｂは、各ブロック２０１における温度差ΔＴが基準温度差ΔＴｒより大きいか判定する。
【００５２】
判定部２０ｂは、あるブロック２０１における温度差ΔＴが基準温度差ΔＴｒより大きい場合、当該ブロック２０１を第１ブロックとして判定する。判定部２０ｂは、あるブロック２０１における温度差ΔＴが基準温度差ΔＴｒより小さい場合、当該ブロック２０１を第２ブロックとして判定する。第１ブロックには、濡れている被乾燥物が位置する。第２ブロックには、被乾燥物がない、あるいは乾燥後の被乾燥物が位置する。
【００５３】
また、判定部２０ｂは、走査範囲２００のうち、上記の第１ブロックの集合を乾燥対象範囲として判定する機能を有する。一例として、制御部２０ａは、乾燥対象範囲に乾燥空気Ｑを優先して送らせるように、縦方向駆動部９ａおよび横方向駆動部１０ａを制御する。制御部２０ａは、第１制御を行うことで、送風手段の一例であるファン４、ファンモーター４ａおよび風向変更部８に、乾燥対象範囲への送風を行わせる。第１制御は、濡れている被乾燥物を優先的に乾燥させるために制御部２０ａが行う制御である。本実施の形態の除湿機１００は、第１制御が行われると、濡れている被乾燥物に対して優先的に乾燥空気Ｑを送る。
【００５４】
室温Ｔｓが一定である仮定においては、温度差ΔＴが基準温度差ΔＴｒより大きい場合とは、表面温度Ｔｄがある一定の判定温度より低い場合を意味する。この判定温度は、室温Ｔｓが変動する場合には、室温Ｔｓとともに変動する。本実施の形態における温度差ΔＴと基準温度差ΔＴｒとの比較は、上記の判定温度と表面温度Ｔｄとの比較と言い換えることもできる。すなわち、判定部２０ｂは、あるブロック２０１の表面温度Ｔｄが判定温度よりも低い場合に、当該ブロック２０１を第１ブロックとして判定する。また、判定温度の一例として、特定の乾燥温度Ｔｄｒが記憶部２０ｄに予め記憶されていてもよい。判定部２０ｂは、あるブロック２０１の表面温度Ｔｄがこの乾燥温度Ｔｄｒより低い場合に、当該ブロック２０１を第１ブロックとして判定してもよい。
【００５５】
本実施の形態の設定部２０ｃは、判定部２０ｂの判定結果に基づいて、初期乾燥対象範囲Ａ１と初期乾燥非対象範囲Ａ２とを設定する。初期乾燥対象範囲Ａ１は、少なくとも乾燥対象範囲を含む第１範囲の一例である。初期乾燥非対象範囲Ａ２は、走査範囲２００のうち初期乾燥対象範囲Ａ１を含まない第２範囲の一例である。図７および図８は、実施の形態１の初期乾燥対象範囲Ａ１と初期乾燥非対象範囲Ａ２とを示す図である。図７において斜線で塗りつぶされた部分は、初期乾燥対象範囲Ａ１を示している。図８において、斜線で塗りつぶされた部分は、初期乾燥非対象範囲Ａ２を示している。
【００５６】
除湿機１００は、例えば、操作部１４ａの運転スイッチが操作されることで、運転を開始する。本実施の形態の除湿機１００は、運転を開始した後、初期サンプリングを行う。初期サンプリングとは、表面温度検出装置１１によって走査範囲２００内の全てのブロック２０１の表面温度を検出する動作である。判定部２０ｂは、初期サンプリングの結果に基づいて、全てのブロック２０１の状態を判定する。
【００５７】
設定部２０ｃは、初期サンプリングの結果に基づいて第１ブロックと判定されたブロック２０１の集合を、初期乾燥対象範囲Ａ１として設定する。設定部２０ｃは、初期サンプリングの結果に基づいて第２ブロックと判定されたブロック２０１の集合を、初期乾燥非対象範囲Ａ２として設定する。初期乾燥非対象範囲Ａ２は、被乾燥物が位置しない範囲である。初期乾燥非対象範囲Ａ２は、上述した乾燥対象範囲および初期乾燥対象範囲Ａ１を含まない範囲である。
【００５８】
なお、初期乾燥対象範囲Ａ１は、必ずしも、第１ブロックと判定されたブロック２０１の全てを含まなくてもよい。初期乾燥非対象範囲Ａ２は、必ずしも、第２ブロックと判定されたブロック２０１の全てを含まなくてもよい。また、設定部２０ｃは、走査範囲２００から初期乾燥対象範囲Ａ１を除いた範囲を、初期乾燥非対象範囲Ａ２として設定してもよい。設定部２０ｃは、走査範囲２００から初期乾燥非対象範囲Ａ２を除いた範囲を、初期乾燥対象範囲Ａ１として設定してもよい。初期乾燥対象範囲Ａ１および初期乾燥非対象範囲Ａ２は、表面温度検出装置１１が検出した表面温度Ｔｄに基づいて、任意の手法で設定される。
【００５９】
設定部２０ｃによって設定された初期乾燥非対象範囲Ａ２の情報は、記憶部２０ｄに記憶される。初期乾燥対象範囲Ａ１の情報も、記憶部２０ｄに記憶されてもよい。制御部２０ａは、第２制御を行うことで、送風手段の一例であるファン４、ファンモーター４ａおよび風向変更部８に、初期乾燥非対象範囲Ａ２への送風を行わせる。第２制御は、被乾燥物が配置されていない範囲を乾燥させるために制御部２０ａが行う制御である。除湿機１００は、第２制御が行われると、被乾燥物の周辺に対して優先的に乾燥空気Ｑを送る。
【００６０】
図９は、実施の形態１の第１制御が行われた際の送風経路の例を示す図である。図１０は、実施の形態１の第２制御が行われた際の送風経路の例を示す図である。送風経路とは、乾燥空気Ｑが当たる領域の移動経路を意味する。図９および図１０において、送風経路は矢印で示される。実線矢印は、乾燥空気Ｑが当たる領域の移動速度が予め設定された通常速度であることを示している。点線矢印は、乾燥空気Ｑが当たる領域の移動速度がこの通常速度に比べて高速であることを示している。なお、図９および図１０は、一例として、乾燥対象範囲と初期乾燥対象範囲Ａ１とが一致している例を示している。
【００６１】
第１制御が行われると、乾燥空気Ｑは乾燥対象範囲に送られる。第１制御が行われると、乾燥空気Ｑが当たる領域は、乾燥対象範囲内を移動する。図９に示すように、第１制御が行われた際の送風経路は、初期乾燥非対象範囲Ａ２を避ける経路となる。第１制御が行われると、乾燥空気Ｑは走査範囲２００のうち乾燥対象範囲に集中的に送られる。また、図９に示すように、第１制御が行われた際の送風経路は、初期乾燥非対象範囲Ａ２と重なっていてもよい。一例として、第１制御が行われた際、乾燥空気Ｑが当たる領域は、初期乾燥非対象範囲Ａ２を高速で通過する。乾燥空気Ｑが当たる領域が初期乾燥非対象範囲Ａ２を高速で通過することで、乾燥空気Ｑは、乾燥対象範囲へ優先的に無駄なく送られる。
【００６２】
第２制御が行われると、乾燥空気Ｑは初期乾燥非対象範囲Ａ２に送られる。第２制御が行われると、乾燥空気Ｑが当たる領域は、初期乾燥非対象範囲Ａ２内を移動する。図１０に示すように、第２制御が行われた際の送風経路は、初期乾燥対象範囲Ａ１を避ける経路となる。第２制御が行われると、乾燥空気Ｑは走査範囲２００のうち初期乾燥非対象範囲Ａ２に集中的に送られる。また、図１０に示すように、第２制御が行われた際の送風経路は、初期乾燥対象範囲Ａ１と重なっていてもよい。一例として、第２制御が行われた際、乾燥空気Ｑが当たる領域は、初期乾燥対象範囲Ａ１を高速で通過する。乾燥空気Ｑが当たる領域が初期乾燥対象範囲Ａ１を高速で通過することで、乾燥空気Ｑは、初期乾燥非対象範囲Ａ２へ優先的に無駄なく送られる。
【００６３】
このように、本実施の形態の除湿機１００は、上記した第１制御が行われることで、被乾燥物を効率よく乾燥させることができる。また、除湿機１００は、上記した第２制御が行われることにより、被乾燥物から当該被乾燥物の周辺に放出された水分を効果的に除去することができる。
【００６４】
次に、本実施の形態の除湿機１００のより具体的な動作について、フローチャートを参照しつつ説明する。図１１は、実施の形態１の除湿機１００の動作を示すフローチャートである。操作部１４ａの運転スイッチが操作されると、制御部２０ａは、ファンモーター４ａおよび除湿部６を駆動させる。これにより、乾燥空気Ｑが吹出口３から吹き出され始める。除湿機１００は、このようにして運転を開始する（ステップＳ１０１）。
【００６５】
本実施の形態の除湿機１００は、動作を開始した後、初期サンプリングを行う。除湿機１００は、運転を開始した後、初期サンプリングを行う（ステップＳ１０２）。初期サンプリングは、例えば、乾燥空気Ｑが送風可能範囲全体に送られるように風向変更部８が動作することで実行される。風向変更部８が動作することにより、表面温度検出装置１１は、走査範囲２００内の全てのブロック２０１の表面温度Ｔｄを検出する。
【００６６】
判定部２０ｂは、初期サンプリングによって検出された全てのブロック２０１の表面温度Ｔｄに基づいて、各ブロック２０１が第１ブロックであるか第２ブロックであるか判定する（ステップＳ１０３）。
【００６７】
設定部２０ｃは、ステップＳ１０３での判定結果に基づいて、初期乾燥対象範囲Ａ１および初期乾燥非対象範囲Ａ２を設定する。設定部２０ｃが設定した初期乾燥対象範囲Ａ１および初期乾燥非対象範囲Ａ２の情報は、記憶部２０ｄに記憶される（ステップＳ１０４）。
【００６８】
初期乾燥対象範囲Ａ１および初期乾燥非対象範囲Ａ２の情報が記憶されると、制御部は、第１制御を行う。これにより、乾燥対象範囲に対して乾燥空気Ｑが送られる。なお、この時点で、乾燥対象範囲は初期乾燥対象範囲Ａ１に一致している。表面温度検出装置１１は、乾燥空気Ｑが送られる領域を走査して当該領域の表面温度Ｔｄを検出する（ステップＳ１０５）。
【００６９】
ステップＳ１０５で第１制御が開始すると、判定部２０ｂは、表面温度検出装置１１の検出結果に基づいて、第１ブロックが存在するか判定する（ステップＳ１０６）。走査範囲２００内に第１ブロックが存在する場合、制御部２０ａは、第１制御を継続する。すなわち、表面温度Ｔｄが判定温度より低いブロック２０１が初期乾燥対象範囲Ａ１に含まれている場合、第１制御が継続される。
【００７０】
一例として、ステップＳ１０６の後に第１制御が継続される場合、乾燥対象範囲は表面温度検出装置１１の検出結果に基づいて逐次更新される。被乾燥物の乾燥が進むことで、乾燥対象範囲は、初期乾燥対象範囲Ａ１よりも小さい範囲に更新される。更新後の乾燥対象範囲に乾燥空気Ｑが送られることで、濡れた被乾燥物が効率よく乾燥する。
【００７１】
ステップＳ１０６で、第１ブロックが存在しないと判定された場合、制御部２０ａは、第１制御を終了して第２制御を開始する。すなわち、初期乾燥対象範囲Ａ１の表面温度Ｔｄが判定温度より高くなった場合、第１制御が終了して第２制御が開始される。第２制御が開始することで、初期乾燥非対象範囲Ａ２に乾燥空気Ｑが送られる（ステップＳ１０７）。除湿機１００は、初期乾燥非対象範囲Ａ２に乾燥空気Ｑを送った後、例えば、操作部１４ａの運転スイッチが操作されることで運転を停止する（ステップＳ１０８）。
【００７２】
このように、本実施の形態では、第１制御が開始した後、初期乾燥対象範囲Ａ１の表面温度Ｔｄが判定温度より高くなると、当該第１制御が終了して第２制御が開始する。これにより、除湿機１００は、被乾燥物を優先的に効率よく乾燥させた後、当該被乾燥物の周辺に放出された水分を効果的に除去することができる。
【００７３】
また、図１２は、実施の形態１の除湿機１００の動作の第１変形例を示すフローチャートである。図１２のフローチャートを参照して、第１変形例を説明する。なお、図１２中のステップＳ２０１からステップＳ２０５、ステップＳ２０７およびステップＳ２０８は、それぞれ、上記したステップＳ１０１からステップＳ１０５、ステップＳ１０７およびステップＳ１０８に対応する。以下では、ステップＳ２０１からステップＳ２０５、ステップＳ２０７およびステップＳ２０８についての詳細な説明を省略する。
【００７４】
第１変形例において、ステップＳ２０５で第１制御が開始すると、判定部２０ｂは、表面温度検出装置１１の検出結果に基づいて、第１ブロックが存在するか判定する（ステップＳ２０６）。ステップＳ２０６で、第１ブロックが存在しないと判定された場合、制御部２０ａは、第１制御を終了して第２制御を開始する（ステップＳ２０７）。
【００７５】
この第１変形例において判定部２０ｂは、図１２に示すように、ステップＳ２０６で、第１ブロックが存在すると判定した場合、乾燥対象範囲への送風時間Ｔ１が第１時間以上であるか判定する（ステップＳ２０９）。この第１時間の情報は、例えば記憶部２０ｄに予め記憶される。第１時間は、一定時間である。第１時間は、例えば、１［時間］である。また、送風時間Ｔ１は、ステップＳ２０５で第１制御が開始してからの経過時間である。一例として、判定部２０ｂは、送風時間Ｔ１を計測する機能を有する。送風時間Ｔ１を計測する機能は、例えば、制御回路２１のタイマー部２１ｅによって実現される。
【００７６】
送風時間Ｔ１が第１時間未満であると判定された場合、制御部２０ａは、第１制御を継続する。送風時間Ｔ１が第１時間以上であると判定された場合、制御部２０ａは、第２制御を第２時間行う。これにより、初期乾燥非対象範囲Ａ２へ乾燥空気Ｑが第２時間送られる（ステップＳ２１０）。この第２時間の情報は、例えば、記憶部２０ｄに予め記憶される。第２時間は、一定時間である。第２時間は、例えば、１０［分］である。
【００７７】
制御部２０ａによって第２制御が第２時間行われると、判定部２０ｂは送風時間Ｔ１をリセットする（ステップＳ２１１）。送風時間Ｔ１がリセットされると、制御部２０ａは、再び第１制御を開始する。このように、第１変形例においては、一定の間隔で、第１制御と第２制御とが交互に行われる。第１変形例であれば、初期乾燥非対象範囲Ａ２へ定期的に乾燥空気Ｑが送られることで、被乾燥物から当該被乾燥物の周辺に放出された水分がより効果的に除去される。
【００７８】
なお、第１の変形例におけるステップＳ２０６からステップＳ２０８は、省略されてもよい。ステップＳ２０６からステップＳ２０８が省略されても、第１制御と第２制御とが交互に行われることで、被乾燥物から当該被乾燥物の周辺に放出された水分が効果的に除去される。
【００７９】
また、第１制御が開始してから第２制御が開始するまでの間隔は、上記した第１時間のような一定の時間でなくてもよい。例えば、第１制御が開始した後、湿度センサー１３が検出した湿度が予め設定された基準湿度以上になった場合に第２制御が行われてもよい。第１制御が開始してから第２制御が開始するまでの間隔が一定でなくても、第１制御と第２制御とが交互に行われることで、被乾燥物から当該被乾燥物の周辺に放出された水分が効果的に除去される。
【００８０】
また、図１３は、実施の形態１の除湿機１００の動作の第２変形例を示すフローチャートである。図１３のフローチャートを参照して、第２変形例を説明する。なお、図１３中のステップＳ３０１からステップＳ３０７は、それぞれ、上記したステップＳ１０１からステップＳ１０７に対応する。以下では、ステップＳ３０１からステップＳ３０７についての詳細な説明を省略する。
【００８１】
この第２変形例において、判定部２０ｂは、ステップＳ３０７で第２制御が開始すると、初期乾燥非対象範囲Ａ２への送風時間Ｔ２が第３時間以上であるか判定する（ステップＳ３０８）。第３時間の情報は、例えば、記憶部２０ｄに予め記憶される。第３時間は、一定時間である。第３時間は、例えば、５［時間］である。送風時間Ｔ２は、ステップＳ３０７で第２制御が開始してからの経過時間である。一例として、判定部２０ｂは、送風時間Ｔ２を計測する機能を有する。送風時間Ｔ２を計測する機能は、例えば、制御回路２１のタイマー部２１ｅによって実現される。
【００８２】
ステップＳ３０８の判定は、送風時間Ｔ２が第３時間以上になるまで継続される。送風時間Ｔ２が第３時間以上になると、制御部２０ａは、第２制御を終了し、ファンモーター４ａおよび除湿部６等を停止させる。これにより、除湿機１００の運転が停止する（ステップＳ３０９）。このように、第２変形例において除湿機１００は、運転を開始してから一定時間経過後に運転を自動的に停止する。
【００８３】
また、図１４は、実施の形態１の除湿機１００の動作の第３変形例を示すフローチャートである。図１４のフローチャートを参照して、第４変形例を説明する。なお、図１４中のステップＳ４０１からステップＳ４０６は、それぞれ、上記したステップＳ１０１からステップＳ１０６に対応する。以下では、ステップＳ４０１からステップＳ４０６についての詳細な説明を省略する。
【００８４】
第３変形例において、ステップＳ４０６で第１ブロックが存在すると判定された場合は、第１制御が継続される。ステップＳ４０６で第１ブロックが存在しないと判定された場合、除湿機１００が運転を開始してから第１ブロックが存在しなくなるまでの時間Ｔ３が、記憶部２０ｄに記憶される（ステップＳ４０７）。この時間Ｔ３の計測は、例えば、制御回路２１のタイマー部２１ｅによって実現される。
【００８５】
時間Ｔ３が記憶部２０ｄに記憶されると、当該時間Ｔ３に基づいて設定時間Ｔ４が算出される（ステップＳ４０８）。設定時間Ｔ４の算出は、例えば、設定部２０ｃによって行われる。設定時間Ｔ４は、時間Ｔ３が長いほど長い。一例として、設定時間Ｔ４は、時間Ｔ３に一定の係数を乗じることで算出される。設定時間Ｔ４の情報は、記憶部２０ｄに記憶される。
【００８６】
なお、除湿機１００が運転を開始してから第１ブロックが存在しなくなるまでの時間Ｔ３は、前記第１制御が開始してから第１ブロックが存在しなくなるまでの時間よりも長い。時間Ｔ３は、第１制御が開始してから第１ブロックが存在しなくなるまでの時間が長いほど長い。すなわち、時間Ｔ３は、第１制御が開始してから初期乾燥対象範囲Ａ１の表面温度Ｔｄが判定温度より高くなるまでの時間が長いほど長い。設定時間Ｔ４は、第１制御が開始してから初期乾燥対象範囲Ａ１の表面温度Ｔｄが判定温度より高くなるまでの時間が長いほど長い。
【００８７】
設定時間Ｔ４の情報が記憶部に記憶された後、制御部２０ａは、第１制御を終了して第２制御を開始する（ステップＳ４０９）。なお、このステップＳ４０９は、ステップＳ４０７およびステップＳ４０８の前に行われてもよい。
【００８８】
ステップＳ４０９で第２制御が開始すると、判定部２０ｂは、記憶部２０ｄに記憶された情報に基づき、初期乾燥非対象範囲Ａ２への送風時間Ｔ２が設定時間Ｔ４以上であるか判定する（ステップＳ４１０）。第３変形例における送風時間Ｔ２は、ステップＳ４０９で第２制御が開始してからの経過時間である。
【００８９】
ステップＳ４１０の判定は、送風時間Ｔ２が設定時間Ｔ４以上になるまで継続される。送風時間Ｔ２が設定時間Ｔ４以上になると、制御部２０ａは、第２制御を終了し、ファンモーター４ａおよび除湿部６等を停止させる。これにより、除湿機１００の運転が停止する（ステップＳ４１１）。このように、第３変形例において除湿機１００は、初期乾燥非対象範囲Ａ２への送風を設定時間Ｔ４だけ行った後、自動的に運転を停止する。
【００９０】
除湿機１００が運転を開始してから第１ブロックが存在しなくなるまでの時間Ｔ３は、被乾燥物の乾燥が完了するまでにかかった時間である。この時間Ｔ３が長いほど、被乾燥物から当該被乾燥物の周辺へ放出される水分量も多くなる。上述したように、設定時間Ｔ４は、時間Ｔ３が長いほど長くなる。すなわち、設定時間Ｔ４は、被乾燥物から当該被乾燥物の周辺へ放出される水分量が多いほど長くなる。また、設定時間Ｔ４は、被乾燥物から当該被乾燥物の周辺へ放出される水分量が多いほど短くなる。第３変形例であれば、初期乾燥非対象範囲Ａ２へ乾燥空気Ｑが送られる時間が、被乾燥物から放出された水分の量に応じて自動的に調整される。
【符号の説明】
【００９１】
１  筐体、  ２  吸込口、  ３  吹出口、  ４  ファン、  ４ａ  ファンモーター、  ５  風路、  ６  除湿部、  ７  貯水タンク、  ８  風向変更部、  ９  縦方向ルーバー、  ９ａ  縦方向駆動部、  １０  横方向ルーバー、  １０ａ  横方向駆動部、  １１  表面温度検出装置、  １１ａ  赤外線吸収膜、  １１ｂ  サーミスタ、  １２  温度センサー、  １３  湿度センサー、  １４  操作表示部、  １４ａ  操作部、  １４ｂ  表示部、  ２０  制御装置、  ２０ａ  制御部、  ２０ｂ  判定部、  ２０ｃ  設定部、  ２０ｄ  記憶部、  ２１  制御回路、  ２１ａ  入力回路、  ２１ｂ  出力回路、  ２１ｃ  ＣＰＵ、  ２１ｄ  メモリ、  ２１ｅ  タイマー部、  １００  除湿機、  ２００  走査範囲、  ２０１  ブロック
【図１】
2019007693.tif 000003
【図２】
2019007693.tif 000004
【図３】
2019007693.tif 000005
【図４】
2019007693.tif 000006
【図５】
2019007693.tif 000007
【図６】
2019007693.tif 000008
【図７】
2019007693.tif 000009
【図８】
2019007693.tif 000010
【図９】
2019007693.tif 000011
【図１０】
2019007693.tif 000012
【図１１】
2019007693.tif 000013
【図１２】
2019007693.tif 000014
【図１３】
2019007693.tif 000015
【図１４】
2019007693.tif 000016